(57)【特許請求の範囲】
【請求項１】
多角形状の底板、この底板の辺に対応する折線を有し、後部側が両者の連結部であり、前部側に筒状の柱を形成する折線を有する左右壁、屋根、扉および両壁の上端間にわたすはり並びに扉の上下框とからなり、
左右壁の下端に形成される内方への折返部が底板を支持し、上端に形成される内方への折込片に設けた穴と屋根に形成した穴とに挿通する固定部材で屋根が固定され、左右壁の後部側の端部が一部重合して固定部材で連結され、前記筒状の柱の上方および下方に形成された切込みとスリットに上下框を取り付け、両側が折られて取付面が形成された扉を一方の筒状の柱に固定し、もう一方の取付面を開閉自在にもう一方の柱に取り付けるようにしてなることを特徴とするダンボール製の組立式簡易トイレボックス。
【請求項２】
一方の壁が他方の壁より低いことを特徴とする請求項１に記載の組立式簡易トイレボックス
【請求項３】
後部および前部の屋根が中央部より低いことを特徴とする請求項１あるいは２に記載の組立式簡易トイレボックス
【発明の詳細な説明】
【０００１】
【発明の属する技術分野】
この発明は、組み立て式トイレボックスに関し、特に、ダンボール製の安価で、容易に組み立てて使用することができる組み立て式簡易トイレボックスに関する。
【０００２】
【従来の技術】
建築作業現場、キャンプ場、海水浴場あるいは地震などの被災地には仮設のトイレが設けられる場合が多い。従来の仮設トイレは、鉄、プラスチック製のものが提供されている。
【０００３】
【発明が解決しようとする課題】
しかしながら、鉄やプラスチック製の仮設トイレは、高価なうえ、運搬に不便であり、運送費がかかる欠点がある。また、使用後には、分解し、清掃して保管する必要があるため、メンテナンス代が掛かる問題があった。さらに、廃棄処理にも費用が掛るものである。
【０００４】
本発明は、上記の問題点に鑑み、材料に安価なダンボールを使用し、収納性がよく、かつ容易に組み立てられる組立式簡易トイレボックスを提供することを目的としている。
【０００５】
【課題を解決するための手段】
このため、本発明は、材料に耐水性のあるダンボールを利用し、組み立てるときに、折線を折って所定の形状に形成し、所定の位置に対応する部材を差込みや固定部材で固定して組み立て使用する。
【０００６】
このように、軽量のダンボールを使用し、普段は、折り畳んで収納できるから、運搬しやすく、かさばらずに保管することできる。また、使用後には、分解や清掃などの作業がなく、さらに、廃棄処理、資源のリサイクルが可能であり自然環境問題に適したものである。
【０００７】
【発明の実施の形態】
次に、図面を参照して本発明の実施の形態を説明する。
図１は、組み立て完成状態の組立式簡易トイレボックスを示す正面図である。
右壁１と左壁２とからなり、右壁１と左壁２は、後部で互いに固定され、筒状の胴体部を構成し、前部に胴体部の開口部が存し、右壁１と左壁２の端部に扉４が開閉自在に取り付けられている。右壁１、左壁２の上方に、屋根３が被せられる。胴体部の下方には、図２に示す左右対称の８角形形状の底板５が嵌め込められる。なお、底板５の辺５１は胴体部の後部側、辺５５は前部の扉４側である。
本実施例においては、屋根は、雨水の流れ、風対策あるいはデザイン上から左壁２に向け傾斜させて形成してある。
【０００８】
図３は右壁１、図４は左壁２、図５は屋根３のそれぞれの展開図である。
右壁１は、図３に示すように、右から平行な谷折線１ａ〜１ｇが垂直に形成されている。折線１ａの一側端部分は後部の取付面１１を構成し、４つの取付穴ａが形成されている。取付面１１を含め、谷折線１ａ,１ｂ,１ｃ,１ｄで区画された各面の幅は図２に示す底板５の辺５１,５２ａ,５３ａ,５４ａとそれぞれ対応させてある。また、取付面１１を含めて各折線で区画された各面の上方には、谷折線１ｈ,１ｉ,１ｊ,１ｋ,１ｌを介して折込片１４〜１８が形成されており、組み立てる際の屋根３と密に当接するように位置され、そのうち折込片１４〜１７には取付穴ｂが形成されている。下方にある谷折線１ｍは縦方向にある折線１ａなどに対して垂直となっており、折線１ｍによって折込片１９が形成されるようになっている。
【０００９】
折線１ｄの左側に谷折線１ｅ,１ｆ,１ｇが形成され、谷折線１ｅ,１ｆ,１ｇを内側に折り返して横断面が三角形状の柱を形成する際に、取付部１３の面が取付部１２の面と当接するように、各折線間の幅が設定される。取付部１３と取付部１２には、互いに固定するための４つの取付穴ｃ,ｄがそれぞれ整合するように形成されている。また、折線１ｅと１ｆに区画された面２０は、扉４の取付面としてここに３つの取付穴ｅが形成されているとともに、上方には、図８に示す上框７の差込み用の切込みＡ、下方には、図９に示す下框６の差込み用のスリットＢが形成されている。さらに、折線１ｃの上方にも図７に示す主はり８の差込み用の切込みＣが形成されている。
【００１０】
左壁２は、図４に示すように、左側から、谷折線２ａ,２ｂ,２ｃ,２ｄが形成され、各折線間の幅が右壁１と同様に、図２に示す底板５の右側の各辺５２ｂ,５３ｂ,５４ｂに対応するようになっている。谷折線２ｄの右側に谷折線２ｅ,２ｆ,２ｇが形成され、谷折線２ｅ,２ｆ,２ｇを折り返して断面が三角形状の柱を形成する際に取付部２３の面が取付部２２の面と当接するように、各折線間の幅が設定される。取付部２３と取付部２２には、互いに固定するためのそれぞれ整合する４つの取付穴ｆ,ｇが形成されている。
【００１１】
また、谷折線２ｅと２ｆに区画された面２８は、扉４への取付面としてここに３つの取付穴ｈが形成されているとともに、上方には、上框７の差込み用の切込みＡ'、下方には、下框６の差込み用のスリットＢ'が形成されている。さらに、折線２ｃの上方にも主はり８の差込み用の切込みＣ’が形成されている。
谷折線２ａ〜２ｅで区画された各面の上方に折込片２７,２６,２５,２４を形成するように谷折線２ｈ,２ｉ,２ｊ,２ｋが形成され、下方には、折込片２９を形成するように谷折線２ｌが形成されている。上方にある折込片２４,２５,２６には、取付穴ｉが形成されている。
【００１２】
屋根３は、図５に示すように、略円形状に形成され、右壁１の折線１ｂ,１ｃ,１ｄおよび左壁２の折線２ｂ,２ｃ,２ｄと対応して山折線３ａ,３ｂ,３ｃが形成されている。各取付穴ｂ',ｉ’は、それぞれ右壁１、左壁２の各折込片に形成された取付穴ｂ,ｉと位置整合させてある。
【００１３】
図６は、扉４を示す展開図である。
右壁１の扉４への取り付けを行う面２０は、左壁の取付面２８より高く設定されており、扉４はそれに合わせた形状となっている。その左側、右側にそれぞれ取付部４２,４１を形成するように折線４ｃ,４ａが形成されている。取付部４１,４２には、右壁の面２０と左壁の面２８と連結するようにそれぞれ３つの取付穴ｊ,ｋが形成されている。折線４ｃ,４ａの間に扉の開閉を容易するための山折線４ｂが形成されている。扉４の図６において右側を扉の開閉側とし、折線４ａの近傍に取っ手紐を通すための２つの穴４３が形成されている。
【００１４】
図７は、右壁１および左壁２の切込みＣ、Ｃ’に差し込んで使う主はり８を示す図である。右壁１にある切込みＣの位置が高いので、それに合わせて、２つの切欠き８１が斜めに形成されている。
【００１５】
図８は、右壁１および左壁２の切込みＡ、Ａ’に差し込んで使う上框の７を示す図である。はり８と同様に、２つの切欠き７１が斜めに形成されている。
【００１６】
図９は、右壁１と左壁２のスリットＢ、Ｂ’に差し込んで使う下框６を示す図である。
はり６は、スリットＢに挿入できる縦幅を有し、スリットＢに着座できるよう２つの切欠き６１を有している。
【００１７】
次に、組み立てについて説明する。
まず、図３に示す右壁１の谷折線１ａ,１ｂ,１ｃ,１ｄを順次に折って、形づくるとともに、図１０に示すように、取付部１３の面が取付部１２の面と当接するように折線１ｅ,１ｆ,１ｇを折り返し、取付部１２,１３の取り付け穴ｃ,ｄにジョイント１００を通して固定する。これによって、右壁１の端部に三角形状の柱が形成される。
図４に示す左壁２も同様に谷折線２ａ,２ｂ,２ｃ,２ｄを折って、形づくり、さらに折線２ｅ,２ｆ,２ｇを右壁１と同様に、取付部２３の面が取付部２２の面と当接するように、折り返して、ジョイント１００で固定する。これによって、左壁２にも、右壁１と同様に端部に三角形状の柱が形成される。
【００１８】
こうして柱が形成された右壁１と左壁２は、図１１に示すように、後部で右壁１と左壁２の他端側の取付面１１,２１の取付穴ａ,ｍにジョイント１０１を通して固定する。
図１２は、右壁１と左壁２が連結された状態を示す斜視図である。
連結された右壁１と左壁２に、図１３に示すように、底部に図２に示す底板５を嵌め込んだのち、右壁１と左壁２のスリットＢに下框６を差し込んで右壁１と左壁２の前側の下方を固定する。さらに、右壁１と左壁２の上の切り込みＡ、Ａ’に上框７、切込みＣ、Ｃ’に主はり８を順次に差し込んで、上方の固定を行う。
【００１９】
このように、横断面が底板と同じ形状に形成された胴体部の上方に、図１４に示すように、折線で折り曲げた屋根３を被せ、各取付穴にジョイントを通すことで、右壁１、左壁２に固定する。
このような状態で、右壁１および右壁に形成された柱にある面２０と２８が対向することとなり、図１１に示すように、扉４の取付部４２と右壁１の面２０の取付穴ｅに固定用のジョイント２００を通し、扉４の取付面４１と左壁２の面２８の取付穴hに開放可能なジョイント３００を通して固定すれば、扉４が装着され、図１に示す組立式の簡易トイレボックスが構成される。
【００２０】
組立式の簡易トイレボックスは、軽量素材のダンボール素材で作られるので、安定性をますために、図１５に示すようにロープ９で地面に固定して使用する。
設置する場所は、水はけのよい場所が望ましいが、そうでない場所の場合は、図１６に示すように、下にパレット４００を引き、ロープをパレットに巻きつけて使用することも可能である。
【００２１】
【発明の効果】
本発明は、以上のように構成され、ジョイントを除けば、安価で、軽量なダンボールを使用し、また使用するときに、簡単に組立てる構成としたので、かさばらずに収納することができる。また、紙製のため、リサイクルすることもでき、使用後の清掃やメンテナンスが不用となり、利便性が向上し、とくにイベントや地震などの場合の利用に適している。
【図面の簡単な説明】
【図１】  組立て完成状態の組立式簡易トイレを示す正面図である。
【図２】  底板５の形状を示す図である。
【図３】  右壁１の展開図である。
【図４】  左壁２の展開図である。
【図５】  屋根３の展開図である
【図６】  扉４を示す展開図である。
【図７】  はり８を示す図である。
【図８】  はり７を示す図である。
【図９】  はり６を示す図である。
【図１０】  右壁１における断面が三角形状の柱の折り方を示す図である。
【図１１】  右壁１と左壁２および扉４が連結された状態を示す横断面図である。
【図１２】  右壁１と左壁２を折り曲げて互いに連結された状態を示す斜視図である。
【図１３】  下框６、上框７、主はり８の取り付けを示す図である。
【図１４】  屋根３を取り付けた状態を示す図である。
【図１５】  ロープで地面に固定して使用する例を示す図である。
【図１６】  パレットの上に設置して使用する例を示す図である。
【符号の説明】
１      右壁
２      左壁
３      屋根
４      扉
【図１】
0004782322.tif 000002
【図２】
0004782322.tif 000003
【図３】
0004782322.tif 000004
【図４】
0004782322.tif 000005
【図５】
0004782322.tif 000006
【図６】
0004782322.tif 000007
【図７】
0004782322.tif 000008
【図８】
0004782322.tif 000009
【図９】
0004782322.tif 000010
【図１０】
0004782322.tif 000011
【図１１】
0004782322.tif 000012
【図１２】
0004782322.tif 000013
【図１３】
0004782322.tif 000014
【図１４】
0004782322.tif 000015
【図１５】
0004782322.tif 000016
【図１６】
0004782322.tif 000017